(57)【特許請求の範囲】
【請求項１】
内部の薬液を吸い上げる吸液芯を備えた液体容器が蒸散器本体の下部に設置され、蒸散器本体に設けられた発熱体によって吸液芯が加熱される加熱蒸散器において、
前記蒸散器本体に吸液芯を挿入するための吸液芯挿入孔を設け、
前記吸液芯挿入孔の周囲上面に吸液芯を発熱体に接触しないように支持する振止ガイドを設けたことを特徴とする加熱蒸散器。
【請求項２】
前記液体容器にキャップ着脱用のキャップ取付部を設け、
前記蒸散器本体にこのキャップ取付部を所定位置に支持する振止ガイドを設けたことを特徴とする請求項１記載の加熱蒸散器。
【請求項３】
前記発熱体は、その径が吸液芯の外周よりも大きいリング状であって、
前記吸液芯用の振止ガイドは、発熱体のリング中心に吸液芯の軸を合わせるように支持することを特徴とする請求項１又は２記載の加熱蒸散器。
【請求項４】
前記蒸散器本体は、取付部材を備えたものであって、
前記吸液芯用の振止ガイドと前記液体容器用の振止ガイドとをこの取付部材と一体に形成したことを特徴とする請求項２又は３記載の加熱蒸散器。
【発明の詳細な説明】
【０００１】
【発明の属する技術分野】
本発明は、部屋の消臭や芳香等に用いられる加熱蒸散器に関する。
【０００２】
【従来の技術】
部屋の消臭や芳香等に適した薬液等の液体を気化・蒸散させる加熱蒸散器として、例えば特開平８−１４８号公報に記載のものが知られている。
【０００３】
加熱蒸散器の概要としては、内部の薬液を吸い上げる吸液芯を備えた液体容器を蒸散器本体の下部に設置し、蒸散器本体内部に設けられたヒータ等の発熱体によってこの吸液芯を加熱することで、薬液の気化・蒸散を促し、蒸散器本体の上方に設けられた蒸散口から外部へ拡散する構造となっている。
【０００４】
【発明が解決しようとする課題】
しかしながら、加熱蒸散器の使用の仕方によっては、液体容器や吸液芯が蒸散器本体の所定の位置からずれてしまうことがある。この場合、吸液芯が発熱体に接触してしまい、局部加熱が生じて効率の良い蒸散ができなくなるという不具合があった。
【０００５】
本発明は上記に鑑みてなされたものであり、その目的とするところは、蒸散器本体に対する液体容器の設置位置のずれを防止し得る加熱蒸散器を提供することにある。
【０００６】
本発明の別の目的は、吸液芯の局部加熱を防止し得る加熱蒸散器を提供することにある。
【０００７】
【課題を解決するための手段】
上記目的を達成するため、請求項１記載の本発明は、内部の薬液を吸い上げる吸液芯を備えた液体容器が蒸散器本体の下部に設置され、蒸散器本体に設けられた発熱体によって吸液芯が加熱される加熱蒸散器において、前記蒸散器本体に吸液芯を挿入するための吸液芯挿入孔を設け、前記吸液芯挿入孔の周囲上面に吸液芯を発熱体に接触しないように支持する振止ガイドを設けたことを特徴とする。
【０００８】
本発明にあっては、蒸散器本体に吸液芯を挿入するための吸液芯挿入孔を設け、吸液芯挿入孔の周囲上面に吸液芯を発熱体に接触しないように支持する振止ガイドを設けるようにしたことで、発熱体に吸液芯が接触することによる局部加熱の発生を防止するようにしている。
【０００９】
請求項２記載の本発明は、請求項１記載の加熱蒸散器において、前記液体容器にキャップ着脱用のキャップ取付部を設け、前記蒸散器本体にこのキャップ取付部を所定位置に支持する振止ガイドを設けたことを特徴とする。
【００１０】
本発明にあっては、蒸散器本体に液体容器のキャップ取付部を所定位置に支持する振止ガイドを設けるようにしたことで、液体容器が所定位置に正確に支持されるようにして、蒸散器本体に対する液体容器の設置位置のずれを簡易な構成で防止するようにしている。
【００１１】
請求項３記載の本発明は、請求項１又は２記載の加熱蒸散器において、前記発熱体は、その径が吸液芯の外周よりも大きいリング状であって、前記吸液芯用の振止ガイドは、発熱体のリング中心に吸液芯の軸を合わせるように支持することを特徴とする。
【００１２】
請求項４記載の本発明は、請求項２又は３記載の加熱蒸散器において、前記蒸散器本体は、取付部材を備えたものであって、前記吸液芯用の振止ガイドと前記液体容器用の振止ガイドとをこの取付部材と一体に形成したことを特徴とする。
【００１３】
本発明にあっては、液体容器用の振止ガイドと吸液芯用の振止ガイドとを蒸散器本体の取付部材と一体に形成するようにしたことで、蒸散器本体を簡易な構成にして製造しやすいものにしている。
【００１４】
【発明の実施の形態】
以下、本発明の実施の形態について図面を用いて説明する。
【００１５】
図１は一実施の形態における加熱蒸散器の蒸散器本体１と液体容器２とが分離した状態を示す斜視図であり、図２は蒸散器本体１の下部に液体容器２が設置されたときの状態を示す斜視図である。
【００１６】
蒸散器本体１の本体ケース１１は、合成樹脂の材質で作られており前後１１ａ，１１ｂに分離するようになっている。また、本体ケース１１の上方中央部には上下に貫通した丸孔状の蒸散口１５が、下部には正面からみて左右両側にスリット状の空気取入口１３がそれぞれ設けられている。
【００１７】
空気取入口１３は、総開口面積が蒸散口１５の開口面積よりも大きく設定され、空気取入口１３から上方の蒸散口１５へ向かう上昇気流が確実に確保されるようになっている。
【００１８】
液体容器２は、販売時等においては吸液芯３がキャップ取付部２１の吸液芯挿入孔２２に挿入された状態で、キャップ取付部２１にキャップ４が取り付けられており、液体容器２を蒸散器本体１の下部に設置するときには、このキャップ４を取り外してから設置するようになっている。液体容器２の正面には、楕円状に形成された嵌込突起部２３が設けられている。
【００１９】
嵌込突起部２３は、液体容器２を蒸散器本体１の下部に設置するとき、蒸散器本体１の裾部を強制的に押し広げていき、蒸散器本体１に設けられた嵌込孔１４に嵌め込まれる。この蒸散器本体１の裾部が元に戻る復帰力によって液体容器２は支持される。
【００２０】
図３は蒸散器本体１を正面から見たときの中央断面図であり、図４は蒸散器本体１を側面から見たときの中央断面図である。
【００２１】
操作レバー３１は、図３に示すように上下方向にスライド可能となっており、蒸散口１５の開口面積を調節できるようになっている。
【００２２】
加熱部１６は、絶縁材によって取り囲まれた加熱制御部１６ａと発熱体１６ｂとからなり、取付部材１７の上部に固定支持される。加熱制御部１６ａは、蒸散器本体１の後側に突出したプラグ１２と電気的に接続され、プラグ１２がコンセントに差し込まれると電流が流れて発熱体１６ｂに熱を与えるＰＴＣヒータとなっている。一方、発熱体１６ｂは、吸液芯３の外周を若干の隙間を有して取り囲むリング状に形成されている。なお、プラグ１２がコンセントに差し込まれたときにはパイロットランプ３３が点燈するようになっている。
【００２３】
取付部材１７は、上部に加熱部１６が固定支持され、中央部の吸液芯挿入孔３４の周囲の上面に吸液芯用の振止ガイド１８が、下面にキャップ取付部用の振止ガイド１９がそれぞれ取付部材１７と一体に形成されている。
【００２４】
取付部材１７は、下部の左右両側に設けられた貫通孔に本体ケース１１ａのボス（図示せず）を挿入し、これを本体ケース１１ｂの裏面から締結ネジ４３ａ，３４ｂで締めることによって蒸散器本体１の内部に固定支持される。
【００２５】
図５は取付部材１７の上面図、図６は取付部材１７の下面図である。図５に示すように、吸液芯挿入孔３４の周囲上面には吸液芯用の振止ガイド１８ａ乃至１８ｄが前後左右の４箇所に設けられている。
【００２６】
また、図６に示すように、吸液芯挿入鉱３４の周囲下面にはキャップ取付部用の振止ガイド１９ａ乃至１９ｄが正面からみてキャップ取付部２１の大きさに合せた前側左右と後側左右の４箇所に設けられている。
【００２７】
図７は液体容器２を下部に設置した加熱蒸散器を正面から見たときの中央断面図であり、図８は吸液芯３がセットされたときの加熱部１６の上面図である。
【００２８】
吸液芯３は、液体容器２に収容された薬液２４を吸い上げるためのものであって、熱に強い材質で作られており、液体容器２を蒸散器本体１の下部に設置したときに加熱部１６の発熱体１６ｂから若干上方へ突出する長さに設定されている。
【００２９】
キャップ取付部用の振止ガイド１９ａ乃至１９ｄは、キャップ取付部２１を周囲から押圧することにより液体容器２を蒸散器本体１の中央下部に支持する。
【００３０】
また、吸液芯用の振止ガイド１８ａ乃至１８ｂは、吸液芯３をその軸が吸液芯挿入孔３４の中心および加熱部１６の吸液芯挿入孔３５のリング中心に合うように支持する。
【００３１】
このように構成された加熱蒸散器の作用について簡単に説明する。プラグ１２がコンセントに差し込まれると、加熱部１６によって吸液芯３に熱が与えられ、液体容器２に収容された薬液２４が吸液芯２に吸い上げられ気化・蒸散されるとともに、空気取入口１３から空気が取り込まれて上昇気流が生じ、気化した薬液２４が蒸散口１５から外部へ拡散される。
【００３２】
ここで、操作レバー３１を調節して蒸散口１５の開口面積を小さくした場合には、蒸散口通過時の流速が速くなるため気化した薬液２４が上方へ高く立ち上り、広い範囲に渡って拡散される。一方、蒸散口１５の開口面積を大きくした場合には、蒸散口通過時の流速が遅くなるため気化した薬液２４が低く立ち上り、狭い範囲に渡って拡散される。
【００３３】
また、加熱蒸散器の使用中に何らかの衝撃が与えられたとしても、キャップ取付部用の振止ガイド１９によって液体容器２が支持され、吸液芯用の振止ガイド１８によって吸液芯３が支持されているので、吸液芯３の位置がずれることはない。
【００３４】
また、振止ガイド１９は寸法精度の良いキャップ取付部２１に対応した箇所に設けられているため、吸液芯３の位置決め精度が高いものとなる。
【００３５】
したがって、本実施の形態によれば、蒸散器本体１の取付部材１７の下面中央部位にキャップ取付部２１を押圧することによって液体容器２を固定支持する振止ガイド１９を設けるようにしたことで、蒸散器本体１に対する液体容器２のずれを簡易な構成で防止することができる。
【００３６】
また、本実施の形態によれば、蒸散器本体１の取付部材１７の上面中央部位に吸液芯３をその軸がリング状の発熱体１６ｂの中心に合うように支持する振止ガイド１８を設けるようにしたことで、吸液芯３が発熱体１６ｂに接触することによる局部加熱の発生を防止でき、効率の良い蒸散を得ることができる。
【００３７】
さらに、本実施の形態によれば、液体容器用の振止ガイド１９と吸液芯用の振止ガイド１８とを蒸散器本体１の取付部材１７と一体に形成するようにしたことで、蒸散器本体１が簡易な構成となるので製造し易くすることができる。
【００３８】
【発明の効果】
以上説明したように、請求項１記載の本発明によれば、蒸散器本体に液体容器のキャップ取付部を所定位置に支持する振止ガイドを設けるようにしたことで、液体容器が所定位置に正確に支持されるので、蒸散器本体に対する液体容器の設置位置のずれを簡易な構成で防止することができる。
【００３９】
請求項２，３記載の本発明によれば、蒸散器本体に吸液芯を発熱体に接触しないように支持する振止ガイドを設けるようにしたことで、局部加熱の発生を防止でき、効率の良い蒸散を得ることができる。
【００４０】
請求項４記載の本発明によれば、液体容器用の振止ガイドと吸液芯用の振止ガイドとを蒸散器本体の取付部材と一体に形成するようにしたことで、蒸散器本体が簡易な構成となるので製造し易くすることができる。
【図面の簡単な説明】
【図１】一実施の形態における加熱蒸散器の蒸散器本体と液体容器とが分離した状態を示す斜視図である。
【図２】蒸散器本体の下部に液体容器が設置されたときの状態を示す斜視図である。
【図３】蒸散器本体を正面から見たときの中央断面図である。
【図４】蒸散器本体を側面から見たときの中央断面図である。
【図５】取付部材の上面図である。
【図６】取付部材の下面図である。
【図７】液体容器を下部に設置した加熱蒸散器を正面から見たときの中央断面図である。
【図８】吸液芯がセットされたときの加熱部の上面図である。
【符号の説明】
１  蒸散器本体
２  液体容器
３  吸液芯
４  キャップ
１１  本体ケース
１２  プラグ
１３  空気取入口
１４  嵌込孔
１５  蒸散口
１６  加熱部
１６ａ  加熱制御部
１６ｂ  発熱体
１７  取付部材
１８  吸液芯用振止ガイド
１９  キャップ取付部用振止ガイド
２１  キャップ取付部
２２  挿入孔
２３  嵌込突起部
３１  操作レバー
３３  パイロットランプ
３４  吸液芯挿入孔
３５  吸液芯挿入孔
【図１】
0004499912.tif 000002
【図２】
0004499912.tif 000003
【図３】
0004499912.tif 000004
【図４】
0004499912.tif 000005
【図５】
0004499912.tif 000006
【図６】
0004499912.tif 000007
【図７】
0004499912.tif 000008
【図８】
0004499912.tif 000009